(57)【要約】      （修正有）【課題】最短撮影距離が短く、撮影倍率が大きく、光学性能が優れたズームレンズ系及びこれを備えた電子撮像装置を提供する。【解決手段】物体側から順に、正の第１レンズ群Ｇ１と、負の第２レンズ群Ｇ２と、正の第３レンズ群Ｇ３と、正の第４レンズ群Ｇ４とからなり、ワイド端からテレ端への変倍に際し、少なくとも第２レンズ群と第３レンズ群が移動し、第１レンズ群は、物体側から順に、フォーカシング時に不動の負の屈折力の第１ａレンズ群Ｇ１ａと、フォーカシング時に移動するフォーカスレンズ群である正の屈折力の第１ｂレンズ群Ｇ１ｂとからなり、次の条件式（１）及び（２）を満足するズームレンズ系。（１）１．２＜ｆ１ｂ／ｆ４＜４．０（２）−１２．０＜ｆ１ａ／ｆ１＜−２．０但し、ｆ１：第１レンズ群の焦点距離、ｆ１ａ：第１ａレンズ群の焦点距離、ｆ１ｂ：第１ｂレンズ群の焦点距離、ｆ４：第４レンズ群の焦点距離。【選択図】図１
2014126648.tif 000002
【特許請求の範囲】
【請求項１】
物体側から順に、正の屈折力の第１レンズ群と、負の屈折力の第２レンズ群と、正の屈折力の第３レンズ群と、正の屈折力の第４レンズ群とからなり、短焦点距離端から長焦点距離端への変倍に際し、少なくとも第２レンズ群と第３レンズ群が移動するズームレンズ系において、
第１レンズ群は、物体側から順に、フォーカシング時に不動の負の屈折力の第１ａレンズ群と、フォーカシング時に移動するフォーカスレンズ群である正の屈折力の第１ｂレンズ群とからなること、及び
次の条件式（１）及び（２）を満足することを特徴とするズームレンズ系。
（１）１．２＜ｆ１ｂ／ｆ４＜４．０
（２）−１２．０＜ｆ１ａ／ｆ１＜−２．０
但し、
ｆ１：第１レンズ群の焦点距離、
ｆ１ａ：第１ａレンズ群の焦点距離、
ｆ１ｂ：第１ｂレンズ群の焦点距離、
ｆ４：第４レンズ群の焦点距離。
【請求項２】
請求項１記載のズームレンズ系において、次の条件式（３）を満足するズームレンズ系。
（３）８０＜ν１ｂ
但し、
ν１ｂ：第１ｂレンズ群中の正レンズのｄ線に対するアッベ数の平均値。
【請求項３】
請求項１または２記載のズームレンズ系において、第１ｂレンズ群は２枚の正レンズからなるズームレンズ系。
【請求項４】
請求項１ないし３のいずれか１項記載のズームレンズ系において、次の条件式（４）を満足するズームレンズ系。
（４）−７．０＜ｆ３／ｆ２＜−３．０
ｆ２：第２レンズ群の焦点距離、
ｆ３：第３レンズ群の焦点距離。
【請求項５】
請求項１ないし４のいずれか１項記載のズームレンズ系と、このズームレンズ系によって形成される像を電気的信号に変換する撮像素子とを備えたことを特徴とする電子撮像装置。
【発明の詳細な説明】
【技術分野】
【０００１】
本発明は、ズームレンズ系及びこれを備えた電子撮像装置に関する。
【背景技術】
【０００２】
近年、デジタルカメラ等の電子撮像装置に用いられるズームレンズ系には、より小型で高性能であることが要求されている。ここで言う「高性能」の要件は、具体的に、より最短撮影距離が短いこと、より撮影倍率が大きいこと、より光学性能が優れていること（高精細で諸収差を良好に補正できること）である。つまり、ここで言う「高性能」とは、高い光学性能（良好な光学収差）を（遠距離域から近距離域への）高い撮影倍率に亘って維持することである。
【０００３】
特許文献１−３には、物体側から順に、正の屈折力の第１レンズ群と、負の屈折力の第２レンズ群と、正の屈折力の第３レンズ群と、正の屈折力の第４レンズ群とからなる４群ズームレンズ系が開示されている。
【０００４】
特許文献１のズームレンズ系は、第２レンズ群の全体をフォーカシング時に移動するフォーカスレンズ群としており、最短撮影距離を短くできる利点がある反面、フォーカシングレンズ群の移動によって焦点距離が短くなってしまうので撮影倍率が小さくなってしまう欠点がある。
【０００５】
特許文献２のズームレンズ系は、第１レンズ群を前群と後群に分割して、後群をフォーカシング時に移動するフォーカスレンズ群としており、フォーカシングによる焦点距離の変化を少なくできる利点がある反面、最短撮影距離が長くなってしまうので撮影倍率が大きくできない欠点がある。
【０００６】
特許文献３のズームレンズ系は、特許文献２のズームレンズ系の改良版の位置付けであり、特許文献２のズームレンズ系と同様に、第１レンズ群を前群と後群に分割して、後群をフォーカシング時に移動するフォーカスレンズ群としており、焦点距離を維持したまま最短撮影距離を短くしている。しかし、最短撮影距離での光学性能が不十分であり、特に、近接合焦時に球面収差、コマ収差、像面湾曲等の諸収差が大きく発生して光学性能が劣化してしまう。
【先行技術文献】
【特許文献】
【０００７】
【特許文献１】特開２００９−４２２６１号公報
【特許文献２】特開２００３−３４４７６６号公報
【特許文献３】特開２００８−２１６４８０号公報
【発明の概要】
【発明が解決しようとする課題】
【０００８】
本発明は、以上の問題意識に基づいてなされたものであり、最短撮影距離が短く、撮影倍率が大きく、光学性能が優れた（高精細で諸収差を良好に補正できる）ズームレンズ系及びこれを備えた電子撮像装置を得ることを目的とする。
【課題を解決するための手段】
【０００９】
本発明のズームレンズ系は、物体側から順に、正の屈折力の第１レンズ群と、負の屈折力の第２レンズ群と、正の屈折力の第３レンズ群と、正の屈折力の第４レンズ群とからなり、短焦点距離端から長焦点距離端への変倍に際し、少なくとも第２レンズ群と第３レンズ群が移動するズームレンズ系において、第１レンズ群は、物体側から順に、フォーカシング時に不動の負の屈折力の第１ａレンズ群と、フォーカシング時に移動するフォーカスレンズ群である正の屈折力の第１ｂレンズ群とからなること、次の条件式（１）及び（２）を満足することを特徴としている。
（１）１．２＜ｆ１ｂ／ｆ４＜４．０
（２）−１２．０＜ｆ１ａ／ｆ１＜−２．０
但し、
ｆ１：第１レンズ群の焦点距離、
ｆ１ａ：第１ａレンズ群の焦点距離、
ｆ１ｂ：第１ｂレンズ群の焦点距離、
ｆ４：第４レンズ群の焦点距離、
である。
【００１０】
条件式（１）が規定する条件範囲の中でも、次の条件式（１’）を満足することが好ましい。
（１’）１．２＜ｆ１ｂ／ｆ４＜３．０
【００１１】
条件式（２）が規定する条件範囲の中でも、次の条件式（２’）を満足することが好ましい。
（２’）−１０．０＜ｆ１ａ／ｆ１＜−３．５
【００１２】
本発明のズームレンズ系は、次の条件式（３）を満足することが好ましい。
（３）８０＜ν１ｂ
但し、
ν１ｂ：第１ｂレンズ群中の正レンズのｄ線に対するアッベ数の平均値、
である。
【００１３】
第１ｂレンズ群は２枚の正レンズから構成することが好ましい。
【００１４】
本発明のズームレンズ系は、次の条件式（４）を満足することが好ましい。
（４）−７．０＜ｆ３／ｆ２＜−３．０
ｆ２：第２レンズ群の焦点距離、
ｆ３：第３レンズ群の焦点距離、
である。
【００１５】
条件式（４）が規定する条件範囲の中でも、次の条件式（４’）を満足することが好ましい。
（４’）−５．０＜ｆ３／ｆ２＜−３．０
【００１６】
本発明の電子撮像装置は、上述したいずれかのズームレンズ系と、このズームレンズ系によって形成される像を電気的信号に変換する撮像素子とを備えている。
【発明の効果】
【００１７】
本発明によれば、最短撮影距離が短く、撮影倍率が大きく、光学性能が優れた（高精細で諸収差を良好に補正できる）ズームレンズ系及びこれを備えた電子撮像装置が得られる。
【図面の簡単な説明】
【００１８】
【図１】本発明によるズームレンズ系の数値実施例１の長焦点距離端における無限遠合焦時のレンズ構成図である。
【図２】図１の構成における諸収差図である。
【図３】図１の構成における横収差図である。
【図４】同数値実施例１の短焦点距離端における無限遠合焦時のレンズ構成図である。
【図５】図４の構成における諸収差図である。
【図６】図４の構成における横収差図である。
【図７】本発明によるズームレンズ系の数値実施例２の長焦点距離端における無限遠合焦時のレンズ構成図である。
【図８】図７の構成における諸収差図である。
【図９】図７の構成における横収差図である。
【図１０】同数値実施例２の短焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の長焦点距離端における無限遠合焦時のレンズ構成図である。
【図１４】図１３の構成における諸収差図である。
【図１５】図１３の構成における横収差図である。
【図１６】同数値実施例３の短焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の長焦点距離端における無限遠合焦時のレンズ構成図である。
【図２０】図１９の構成における諸収差図である。
【図２１】図１９の構成における横収差図である。
【図２２】同数値実施例４の短焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の長焦点距離端における無限遠合焦時のレンズ構成図である。
【図２６】図２５の構成における諸収差図である。
【図２７】図２５の構成における横収差図である。
【図２８】同数値実施例５の短焦点距離端における無限遠合焦時のレンズ構成図である。
【図２９】図２８の構成における諸収差図である。
【図３０】図２８の構成における横収差図である。
【図３１】本発明によるズームレンズ系のズーム軌跡を示す簡易移動図である。
【発明を実施するための形態】
【００１９】
本実施形態のズームレンズ系は、全数値実施例１−５を通じて、図３１の簡易移動図に示すように、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とからなる。第１レンズ群Ｇ１は、物体側から順に、負の屈折力の第１ａレンズ群Ｇ１ａと、正の屈折力の第１ｂレンズ群Ｇ１ｂとからなる。Ｉは像面である。
【００２０】
本実施形態のズームレンズ系は、全数値実施例１−５を通じて、短焦点距離端（Ｗｉｄｅ）から長焦点距離端（Ｔｅｌｅ）への変倍に際し、第１レンズ群Ｇ１と第２レンズ群Ｇ２の間隔が増加し、第２レンズ群Ｇ２と第３レンズ群Ｇ３の間隔が減少し、第３レンズ群Ｇ３と第４レンズ群Ｇ４の間隔が減少する。短焦点距離端から長焦点距離端への変倍に際し、第１ａレンズ群Ｇ１ａと第１ｂレンズ群Ｇ１ｂの間隔は不変である。
【００２１】
第１レンズ群Ｇ１（第１ａレンズ群Ｇ１ａ、第１ｂレンズ群Ｇ１ｂ）と第４レンズ群Ｇ４は、全数値実施例１−５を通じて、短焦点距離端から長焦点距離端への変倍に際し、像面Ｉに対して固定されている（光軸方向に移動しない）。但し、第１レンズ群Ｇ１（第１ａレンズ群Ｇ１ａ、第１ｂレンズ群Ｇ１ｂ）と第４レンズ群Ｇ４が短焦点距離端から長焦点距離端への変倍に際して光軸方向に移動する態様も可能である。
第２レンズ群Ｇ２は、全数値実施例１−５を通じて、短焦点距離端から長焦点距離端への変倍に際し、単調に像側に移動する。
第３レンズ群Ｇ３は、数値実施例１−４では、短焦点距離端から長焦点距離端への変倍に際し、単調に像側に移動し、数値実施例５では、短焦点距離端から長焦点距離端への変倍に際し、一旦像側に移動してから若干量だけ物体側に戻る（結果として短焦点距離端に対して像側に移動する）。
【００２２】
第１ａレンズ群Ｇ１ａはフォーカシング時に不動であり、第１ｂレンズ群Ｇ１ｂはフォーカシング時に移動するフォーカスレンズ群である。つまり無限遠物体から有限距離物体へ合焦させるに際し、第１ｂレンズ群Ｇ１ｂが物体側に移動する。
【００２３】
第１ａレンズ群Ｇ１ａは、全数値実施例１−５を通じて、物体側から順に位置する負レンズ１１と正レンズ１２の接合レンズからなる。
【００２４】
第１ｂレンズ群Ｇ１ｂは、全数値実施例１−５を通じて、物体側から順に、正レンズ１３及び正レンズ１４からなる。
【００２５】
第２レンズ群Ｇ２は、全数値実施例１−５を通じて、物体側から順に、負レンズ２１、物体側から順に位置する負レンズ２２と正レンズ２３の接合レンズ、及び負レンズ２４からなる。
【００２６】
第３レンズ群Ｇ３は、全数値実施例１−５を通じて、物体側から順に位置する正レンズ３１と負レンズ３２の接合レンズからなる。
【００２７】
第４レンズ群Ｇ４は、全数値実施例１−５を通じて、物体側から順に、正レンズ４１、物体側から順に位置する正レンズ４２と負レンズ４３の接合レンズ、正レンズ４４、及び負レンズ４５からなる。
【００２８】
本実施形態のズームレンズ系は、第１レンズ群Ｇ１と第４レンズ群Ｇ４を短焦点距離端から長焦点距離端への変倍に際して像面Ｉに対して固定するとともに、主に第２レンズ群Ｇ２で変倍を行い、第３レンズ群Ｇ３で変倍に伴う像面変動を補償している。また第１レンズ群Ｇ１を第１ａレンズ群Ｇ１ａと第１ｂレンズ群Ｇ１ｂに切り分けて、第１ａレンズ群Ｇ１ａをフォーカシング時に不動とし、第１ｂレンズ群Ｇ１ｂをフォーカシング時に移動するフォーカスレンズ群としている。これにより、ズーミング及びフォーカシングの際にレンズ全長が変わらず、Ｆナンバーの変動が少ないズームレンズ系を得ることができる。
【００２９】
そして本実施形態のズームレンズ系は、第１ａレンズ群Ｇ１ａと第１ｂレンズ群Ｇ１ｂにそれぞれ負の屈折力と正の屈折力を持たせて、負の屈折力の第１ａレンズ群Ｇ１ａで一旦発散させた光束を正の屈折力の第１ｂレンズ群Ｇ１ｂで収束させることにより、従来品に比べて飛躍的に最短撮影距離を短く且つ撮影倍率を大きくすることに成功している。
【００３０】
また本実施形態のズームレンズ系は、フォーカスレンズ群である第１ｂレンズ群Ｇ１ｂを２枚の正レンズ１３、１４から構成することで、負の屈折力の第１ａレンズ群Ｇ１ａから入射した発散光束を収束させたときに、球面収差等の発生を抑えて優れた光学性性能を得ることができる。一方、フォーカスレンズ群である第１ｂレンズ群Ｇ１ｂを大型化及び重量化させることなく、迅速で静穏なフォーカシングを行うことができる。
【００３１】
さらに本実施形態のズームレンズ系は、第１レンズ群Ｇ１を構成する第１ａレンズ群Ｇ１ａと第１ｂレンズ群Ｇ１ｂのパワーを最適設定することで、全焦点距離域（ズーム全域）に亘って、球面収差、コマ収差、像面湾曲等の諸収差を良好に補正するとともに、フォーカシングによる球面収差や像面湾曲の変動を小さくして、優れた光学性能を得る（高精細な画像を得る）ことに成功している。
【００３２】
条件式（１）は、フォーカスレンズ群である第１ｂレンズ群Ｇ１ｂの焦点距離と、第４レンズ群Ｇ４の焦点距離との比を規定している。条件式（１）を満足することで、全焦点距離域（ズーム全域）で球面収差やコマ収差の発生を抑えるとともに、フォーカシングによる球面収差や像面湾曲の変動を小さくして、優れた光学性能を得る（高精細な画像を得る）ことができる。
条件式（１）の上限を超えると、第４レンズ群Ｇ４のパワーが強くなりすぎて、全焦点距離域（ズーム全域）で球面収差やコマ収差が発生しやすくなってしまう。
条件式（１）の下限を超えると、フォーカスレンズ群である第１ｂレンズ群Ｇ１ｂのパワーが強くなりすぎて、フォーカシングによる球面収差や像面湾曲の変動が大きくなってしまう。
【００３３】
条件式（２）は、第１ａレンズ群Ｇ１ａの焦点距離と、第１レンズ群Ｇ１の焦点距離との比を規定している。条件式（２）を満足することで、像面湾曲を良好に補正するとともに、フォーカシングによる球面収差や像面湾曲の変動を小さくして、優れた光学性能を得る（高精細な画像を得る）ことができる。
条件式（２）の上限を超えると、第１ａレンズ群Ｇ１ａのパワーが強くなりすぎて、フォーカシングによる球面収差や像面湾曲の変動が大きくなってしまう。
条件式（２）の下限を超えると、第１ａレンズ群Ｇ１ａのパワーが弱くなりすぎて、像面湾曲の補正が不十分となってしまう。
【００３４】
条件式（３）は、第１ｂレンズ群Ｇ１ｂ中の正レンズのｄ線に対するアッベ数の平均値を規定している。条件式（３）を満足することで、特に長焦点距離端において色収差を良好に補正して、優れた光学性能を得る（高精細な画像を得る）ことができる。
条件式（３）の下限を超えると、特に長焦点距離端において色収差の補正が不十分となってしまう。
【００３５】
条件式（４）は、第３レンズ群Ｇ３の焦点距離と、第２レンズ群Ｇ２の焦点距離との比を規定している。条件式（４）を満足することで、変倍時の非点収差、コマ収差、歪曲収差の変動を抑えて、優れた光学性能を得る（高精細な画像を得る）ことができる。
条件式（４）の上限を超えると、第３レンズ群Ｇ３のパワーが強くなりすぎて、変倍時の非点収差の変動が大きく発生してしまう。
条件式（４）の下限を超えると、第２レンズ群Ｇ２のパワーが強くなりすぎて、変倍時のコマ収差や歪曲収差の変動が大きく発生してしまう。
【実施例】
【００３６】
次に具体的な数値実施例１−５を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、PMは撮影倍率、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−５を通じて、非球面レンズは用いていない。
【００３７】
［数値実施例１］
図１〜図６と表１〜表３は、本発明によるズームレンズ系の数値実施例１を示している。図１は長焦点距離端における無限遠合焦時のレンズ構成図、図２はその諸収差図、図３はその横収差図であり、図４は短焦点距離端における無限遠合焦時のレンズ構成図、図５はその諸収差図、図６はその横収差図である。表１は面データ、表２は各種データ、表３はレンズ群データである。
【００３８】
本数値実施例１のズームレンズ系は、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とからなる。第２レンズ群Ｇ２と第３レンズ群Ｇ３の間に位置する絞りＳは、第３レンズ群Ｇ３と一体に移動する。第４レンズ群Ｇ４と像面Ｉとの間には、光学フィルタＯＰが配置されている。
【００３９】
第１レンズ群Ｇ１は、物体側から順に、負の屈折力の第１ａレンズ群Ｇ１ａと、正の屈折力の第１ｂレンズ群Ｇ１ｂとからなる。第１ａレンズ群Ｇ１ａはフォーカシング時に不動であり、第１ｂレンズ群Ｇ１ｂはフォーカシング時に移動するフォーカスレンズ群である。つまり無限遠物体から有限距離物体へ合焦させるに際し、第１ｂレンズ群Ｇ１ｂが物体側に移動する。
第１ａレンズ群Ｇ１ａは、物体側から順に位置する両凹負レンズ１１と両凸正レンズ１２の接合レンズからなる。
第１ｂレンズ群Ｇ１ｂは、物体側から順に、両凸正レンズ１３及び物体側に凸の正メニスカスレンズ１４からなる。
【００４０】
第２レンズ群Ｇ２は、物体側から順に、両凹負レンズ２１、物体側から順に位置する両凹負レンズ２２と物体側に凸の正メニスカスレンズ２３の接合レンズ、及び両凹負レンズ２４からなる。
【００４１】
第３レンズ群Ｇ３は、物体側から順に位置する両凸正レンズ３１と像側に凸の負メニスカスレンズ３２の接合レンズからなる。
【００４２】
第４レンズ群Ｇ４は、物体側から順に、物体側に凸の正メニスカスレンズ４１、物体側から順に位置する両凸正レンズ４２と両凹負レンズ４３の接合レンズ、両凸正レンズ４４、及び像側に凸の負メニスカスレンズ４５からなる。
【００４３】
（表１）
面データ
面番号          R          d          N(d)        ν(d)
1         -1449.985      1.00       1.80440       39.6
2            40.067      4.94       1.49700       81.6
3           -84.919      9.40
4            37.911      4.21       1.49700       81.6
5          -143.485      0.10
6            39.011      2.78       1.43875       95.0
7            93.586        d7
8           -64.900      0.90       1.81600       46.6
9            42.052      0.66
10          -32.216      1.00       1.72916       54.7
11            8.560      2.33       1.84666       23.8
12           49.280      0.42
13          -76.078      0.90       1.80400       46.6
14           37.657       d14
15絞           ∞       1.00
16           98.777      2.00       1.63930       44.9
17          -10.134      0.90       1.80518       25.4
18          -21.988       d18
19           13.683      3.01       1.80440       39.6
20           90.519      0.33
21           14.614      2.89       1.49700       81.6
22          -21.390      3.52       1.71736       29.5
23            9.221      2.73
24           19.286      3.03       1.80400       46.6
25          -28.010      1.18
26          -11.325      1.53       1.83400       37.2
27          -19.280      9.93
28             ∞        1.00       1.51633       64.1
29             ∞          -
（表２）
各種データ
ズーム比（変倍比）    2.88
最短撮影距離           390
最大撮影倍率         -0.17
無限遠物体合焦時
短焦点距離端          中間焦点距離          長焦点距離端
FNO.            2.8                   3.3                   3.4
f             15.30                 26.00                 44.10
PM            0.000                 0.000                 0.000
W              18.9                  10.8                   6.3
Y              5.00                  5.00                  5.00
fB             2.58                  2.58                  2.58
L             87.04                 87.04                 87.04
d7             3.01                 13.30                 20.47
d14            5.53                  4.55                  1.25
d18           14.22                  4.92                  1.05
近距離物体（最短距離物体）合焦時
短焦点距離端          中間焦点距離          長焦点距離端
FNO.            2.8                   3.3                   3.4
f             20.31                 36.10                 55.18
PM           -0.060                -0.102                -0.173
W              13.5                   7.1                   4.0
Y              5.00                  5.00                  5.19
fB             2.58                  2.58                  2.58
L             87.04                 87.04                 87.04
d7            11.40                 21.68                 28.85
d14            5.53                  4.55                  1.25
d18           14.22                  4.92                  1.05
（表３）
レンズ群データ
群          始面          焦点距離
1              1             45.58
2              8            -10.32
3             16             37.40
4             19             20.22
【００４４】
［数値実施例２］
図７〜図１２と表４〜表６は、本発明によるズームレンズ系の数値実施例２を示している。図７は長焦点距離端における無限遠合焦時のレンズ構成図、図８はその諸収差図、図９はその横収差図であり、図１０は短焦点距離端における無限遠合焦時のレンズ構成図、図１１はその諸収差図、図１２はその横収差図である。表４は面データ、表５は各種データ、表６はレンズ群データである。
【００４５】
この数値実施例２のレンズ構成は、数値実施例１のレンズ構成と同様である。
【００４６】
（表４）
面データ
面番号          R          d          N(d)        ν(d)
1          -144.641      1.00       1.76200       40.1
2            46.578      5.79       1.49700       81.6
3           -60.065     10.36
4            41.262      4.21       1.49700       81.6
5          -136.363      0.10
6            32.169      2.60       1.43875       95.0
7            56.993        d7
8           -51.585      0.90       1.81600       46.6
9            42.762      0.64
10          -46.047      1.00       1.80400       46.6
11            9.193      2.34       1.84666       23.8
12          103.910      0.32
13         -220.807      0.90       1.81600       46.6
14           49.143       d14
15絞           ∞       1.00
16          407.570      1.73       1.63930       44.9
17          -13.820      0.90       1.80518       25.4
18          -29.609       d18
19           11.893      3.62       1.80400       46.6
20          122.357      0.40
21           11.642      3.09       1.49700       81.6
22          -22.383      3.98       1.90366       31.3
23            7.915      1.33
24           12.386      4.00       1.80400       46.6
25          -26.942      0.89
26           -8.288      1.00       1.88300       40.8
27          -16.206      7.40
28             ∞        1.20       1.51633       64.1
29             ∞          -
（表５）
各種データ
ズーム比（変倍比）    2.86
最短撮影距離           390
最大撮影倍率         -0.17
無限遠物体合焦時
短焦点距離端          中間焦点距離          長焦点距離端
FNO.            2.8                   3.4                   3.6
f             15.40                 26.00                 44.00
PM            0.000                 0.000                 0.000
W              18.7                  10.8                   6.3
Y              5.00                  5.00                  5.00
fB             2.45                  2.45                  2.45
L             86.76                 86.76                 86.76
d7             3.43                 13.99                 21.60
d14            5.86                  5.67                  1.25
d18           14.33                  3.95                  0.77
近距離物体（最短距離物体）合焦時
短焦点距離端          中間焦点距離          長焦点距離端
FNO.            2.8                   3.4                   3.6
f             20.39                 34.70                 48.85
PM           -0.061                -0.103                -0.174
W              13.3                   7.1                   4.0
Y              5.00                  5.00                  5.19
fB             2.45                  2.45                  2.45
L             86.76                 86.76                 86.76
d7            12.78                 23.34                 30.95
d14            5.86                  5.67                  1.25
d18           14.33                  3.95                  0.77
（表６）
レンズ群データ
群          始面          焦点距離
1              1             47.82
2              8            -12.36
3             16             59.26
4             19             17.73
【００４７】
［数値実施例３］
図１３〜図１８と表７〜表９は、本発明によるズームレンズ系の数値実施例３を示している。図１３は長焦点距離端における無限遠合焦時のレンズ構成図、図１４はその諸収差図、図１５はその横収差図であり、図１６は短焦点距離端における無限遠合焦時のレンズ構成図、図１７はその諸収差図、図１８はその横収差図である。表７は面データ、表８は各種データ、表９はレンズ群データである。
【００４８】
この数値実施例３のレンズ構成は、以下の点を除いて、数値実施例１のレンズ構成と同様である。
（１）第１レンズ群Ｇ１（第１ａレンズ群Ｇ１ａ）の負レンズ１１が物体側に凸の負メニスカスレンズである。
（２）絞りＳが第４レンズ群Ｇ４の最も物体側の面（正メニスカスレンズ４１の物体側の面）に接する光軸直交面内に位置しており、この絞りＳが第４レンズ群Ｇ４と一体に移動する。
【００４９】
（表７）
面データ
面番号          R          d          N(d)        ν(d)
1           195.151      1.00       1.83400       37.3
2            30.852      5.19       1.49700       81.6
3          -336.779      9.03
4            35.949      4.91       1.49700       81.6
5          -119.284      0.10
6            38.198      3.36       1.49700       81.6
7           174.882        d7
8           -93.416      0.90       1.72916       54.7
9            29.251      0.75
10          -41.044      1.00       1.72916       54.7
11            8.520      2.39       1.84666       23.8
12           45.475      0.53
13          -29.563      0.90       1.72916       54.7
14           39.253       d14
15           98.290      2.70       1.63930       44.9
16           -9.775      0.90       1.80518       25.5
17          -22.511       d17
18絞           ∞       0.00
19           14.793      2.82       1.74330       49.2
20           90.795      3.69
21           13.123      3.39       1.49700       81.6
22          -15.516      1.40       1.62004       36.3
23            9.477      0.88
24           19.800      2.29       1.80420       46.5
25          -35.443      1.39
26          -10.762      3.30       1.84666       23.8
27          -16.103     12.00
28             ∞        1.20       1.51633       64.1
29             ∞          -
（表８）
各種データ
ズーム比（変倍比）    2.88
最短撮影距離           390
最大撮影倍率         -0.17
無限遠物体合焦時
短焦点距離端          中間焦点距離          長焦点距離端
FNO.            3.5                   3.6                   3.6
f             15.30                 26.00                 44.10
PM            0.000                 0.000                 0.000
W              18.9                  10.9                   6.3
Y              5.00                  5.00                  5.00
fB             1.36                  1.36                  1.36
L             89.09                 89.09                 89.09
d7             3.53                 12.34                 18.46
d14            6.68                  5.91                  2.65
d17           11.50                  3.46                  0.60
近距離物体（最短距離物体）合焦時
短焦点距離端          中間焦点距離          長焦点距離端
FNO.            3.6                   3.6                   3.5
f             20.42                 36.40                 56.89
PM           -0.060                -0.102                -0.172
W              13.5                   7.0                   3.9
Y              5.00                  5.00                  5.19
fB             1.36                  1.36                  1.36
L             89.09                 89.09                 89.09
d7            10.56                 19.38                 25.49
d14            6.68                  5.91                  2.65
d17           11.50                  3.46                  0.60
（表９）
レンズ群データ
群          始面          焦点距離
1              1             40.60
2              8             -9.34
3             15             39.55
4             19             20.08
【００５０】
［数値実施例４］
図１９〜図２４と表１０〜表１２は、本発明によるズームレンズ系の数値実施例４を示している。図１９は長焦点距離端における無限遠合焦時のレンズ構成図、図２０はその諸収差図、図２１はその横収差図であり、図２２は短焦点距離端における無限遠合焦時のレンズ構成図、図２３はその諸収差図、図２４はその横収差図である。表１０は面データ、表１１は各種データ、表１２はレンズ群データである。
【００５１】
この数値実施例４のレンズ構成は、数値実施例１のレンズ構成と同様である。
【００５２】
（表１０）
面データ
面番号          R          d          N(d)        ν(d)
1          -172.685      1.00       1.80440       39.6
2            40.134      5.19       1.49700       81.6
3           -91.688      9.06
4            45.629      4.91       1.49700       81.6
5           -85.652      0.10
6            33.326      3.36       1.49700       81.6
7           132.908        d7
8           -87.641      0.90       1.72916       54.7
9            38.813      0.50
10          -36.729      1.00       1.72916       54.7
11            9.170      2.42       1.84666       23.8
12           34.120      0.55
13          -41.139      0.90       1.72916       54.7
14           51.324       d14
15絞           ∞       1.00
16          109.013      2.06       1.66998       39.3
17           -9.990      0.90       1.80518       25.4
18          -24.847       d18
19           14.342      2.53       1.72916       54.7
20           83.761      2.40
21           13.037      3.99       1.49700       81.6
22          -17.163      1.40       1.62004       36.3
23            9.005      0.75
24           18.995      3.16       1.77250       49.6
25          -38.844      1.70
26           -9.487      3.01       1.84666       23.8
27          -13.465     11.00
28             ∞        1.20       1.51633       64.1
29             ∞          -
（表１１）
各種データ
ズーム比（変倍比）    2.88
最短撮影距離           390
最大撮影倍率         -0.18
無限遠物体合焦時
短焦点距離端          中間焦点距離          長焦点距離端
FNO.            2.8                   3.3                   3.4
f             15.30                 26.00                 44.10
PM            0.000                 0.000                 0.000
W              19.0                  10.9                   6.3
Y              5.00                  5.00                  5.00
fB             1.87                  1.87                  1.87
L             88.29                 88.29                 88.29
d7             3.57                 13.17                 19.88
d14            5.49                  4.55                  0.95
d18           12.38                  3.71                  0.60
近距離物体（最短距離物体）合焦時
短焦点距離端          中間焦点距離          長焦点距離端
FNO.            2.8                   3.3                   3.4
f             20.81                 36.55                 55.16
PM           -0.062                -0.105                -0.177
W              13.3                   7.1                   4.0
Y              5.00                  5.00                  5.19
fB             1.87                  1.87                  1.87
L             88.29                 88.29                 88.29
d7            11.63                 21.24                 27.94
d14            5.49                  4.55                  0.95
d18           12.38                  3.71                  0.60
（表１２）
レンズ群データ
群          始面          焦点距離
1              1             41.55
2              8            -10.25
3             16             40.01
4             19             20.21
【００５３】
［数値実施例５］
図２５〜図３０と表１３〜表１５は、本発明によるズームレンズ系の数値実施例５を示している。図２５は長焦点距離端における無限遠合焦時のレンズ構成図、図２６はその諸収差図、図２７はその横収差図であり、図２８は短焦点距離端における無限遠合焦時のレンズ構成図、図２９はその諸収差図、図３０はその横収差図である。表１３は面データ、表１４は各種データ、表１５はレンズ群データである。
【００５４】
この数値実施例５のレンズ構成は、以下の点を除いて、数値実施例１のレンズ構成と同様である。
（１）第１レンズ群Ｇ１（第１ａレンズ群Ｇ１ａ）において、負レンズ１１が物体側に凸の負メニスカスレンズであり、正レンズ１２が物体側に凸の正メニスカスレンズである。
（２）第４レンズ群Ｇ４の正レンズ４１が両凸正レンズである。
【００５５】
（表１３）
面データ
面番号          R          d          N(d)        ν(d)
1            63.094      1.00       1.80610       33.3
2            22.087      5.19       1.51633       64.1
3            74.137     15.06
4            35.603      5.29       1.49700       81.6
5           -69.913      0.10
6            30.336      3.36       1.49700       81.6
7           128.938        d7
8           -59.826      0.90       1.83481       42.7
9            31.712      0.83
10          -34.682      1.00       1.72916       54.7
11            8.299      2.51       1.84666       23.8
12           43.742      0.52
13          -46.032      0.90       1.80400       46.6
14           37.926       d14
15絞           ∞       1.20
16           37.722      2.70       1.67790       55.3
17           -8.273      0.90       1.83400       37.2
18          -21.674       d18
19           16.006      2.27       1.77250       49.6
20         -184.406      1.71
21           14.681      3.09       1.49700       81.6
22          -17.355      1.00       1.66680       33.0
23           10.109      5.14
24           17.751      3.23       1.74100       52.7
25          -45.935      1.02
26          -13.910      0.90       1.78472       25.7
27          -38.084      6.00
28             ∞        1.20       1.51633       64.1
29             ∞          -
（表１４）
各種データ
ズーム比（変倍比）    2.86
最短撮影距離           390
最大撮影倍率         -0.14
無限遠物体合焦時
短焦点距離端          中間焦点距離          長焦点距離端
FNO.            2.8                   2.9                   2.9
f             13.30                 24.02                 38.03
PM            0.000                 0.000                 0.000
W              22.0                  11.8                   7.3
Y              5.00                  5.00                  5.00
fB             1.45                  1.46                  1.46
L             86.58                 86.58                 86.58
d7             2.50                 11.40                 15.66
d14            7.76                  4.99                  1.25
d18            7.86                  1.71                  1.19
近距離物体（最短距離物体）合焦時
短焦点距離端          中間焦点距離          長焦点距離端
FNO.            2.8                   2.9                   2.9
f             16.49                 30.74                 44.83
PM           -0.049                -0.088                -0.140
W              16.9                   8.4                   5.2
Y              5.00                  5.00                  5.19
fB             1.46                  1.46                  1.46
L             86.58                 86.58                 86.58
d7             7.15                 16.06                 20.32
d14            7.74                  4.99                  1.25
d18            7.86                  1.71                  1.19
（表１５）
レンズ群データ
群          始面          焦点距離
1              1             33.85
2              8             -8.65
3             16             27.01
4             19             21.63
【００５６】
各数値実施例の各条件式に対する値を表１６に示す。
（表１６）
実施例１      実施例２      実施例３
条件式（１）      2.15          2.60          1.80
条件式（２）     -9.90         -9.90         -4.81
条件式（３）      88.3          88.3          81.6
条件式（４）     -3.63         -4.79         -4.23
実施例４      実施例５
条件式（１）      1.80          1.40
条件式（２）     -3.61         -4.12
条件式（３）      81.6          81.6
条件式（４）     -3.90         -3.12
【００５７】
表１６から明らかなように、数値実施例１〜数値実施例５は、条件式（１）〜（４）を満足しており、諸収差図及び横収差図から明らかなように諸収差及び横収差は比較的よく補正されている。
【００５８】
本発明の特許請求の範囲に含まれるズームレンズ系に、実質的なパワーを有さないレンズまたはレンズ群を追加したとしても、本発明の技術的範囲を回避したことにはならない。
【符号の説明】
【００５９】
Ｇ１  正の屈折力の第１レンズ群
Ｇ１ａ  負の屈折力の第１ａレンズ群
１１  負レンズ
１２  正レンズ
Ｇ１ｂ  正の屈折力の第１ｂレンズ群
１３  正レンズ
１４  正レンズ
Ｇ２  負の屈折力の第２レンズ群
２１  負レンズ
２２  負レンズ
２３  正レンズ
２４  負レンズ
Ｇ３  正の屈折力の第３レンズ群
３１  正レンズ
３２  負レンズ
Ｇ４  正の屈折力の第４レンズ群
４１  正レンズ
４２  正レンズ
４３  負レンズ
４４  正レンズ
４５  負レンズ
Ｓ  絞り
ＯＰ  光学フィルタ
Ｉ  像面
【図１】
2014126648.tif 000003
【図２】
2014126648.tif 000004
【図３】
2014126648.tif 000005
【図４】
2014126648.tif 000006
【図５】
2014126648.tif 000007
【図６】
2014126648.tif 000008
【図７】
2014126648.tif 000009
【図８】
2014126648.tif 000010
【図９】
2014126648.tif 000011
【図１０】
2014126648.tif 000012
【図１１】
2014126648.tif 000013
【図１２】
2014126648.tif 000014
【図１３】
2014126648.tif 000015
【図１４】
2014126648.tif 000016
【図１５】
2014126648.tif 000017
【図１６】
2014126648.tif 000018
【図１７】
2014126648.tif 000019
【図１８】
2014126648.tif 000020
【図１９】
2014126648.tif 000021
【図２０】
2014126648.tif 000022
【図２１】
2014126648.tif 000023
【図２２】
2014126648.tif 000024
【図２３】
2014126648.tif 000025
【図２４】
2014126648.tif 000026
【図２５】
2014126648.tif 000027
【図２６】
2014126648.tif 000028
【図２７】
2014126648.tif 000029
【図２８】
2014126648.tif 000030
【図２９】
2014126648.tif 000031
【図３０】
2014126648.tif 000032
【図３１】
2014126648.tif 000033